(57)【要約】【課題】  電源容量や消費電力等の個々の通信機器が備えるリソースに応じて通信モードを調整する機能を有する通信装置を提供する。【解決手段】  バッテリーで駆動される通信装置間の動作状態を相互に調停して全体として最適な通信設定にする通信システムに用いられる通信装置（Ａｃ）において、電源制御部（１０６）は電源を管理制御し、システム制御部（１０３）は通信システム全体の動作を制御し、動作制御部（１０４）は通信装置（Ａｃ）の動作モードを設定制御し、システム管理部（１０５）は電源制御部（１０６）の出力に応じて通信装置を含むシステム全体の動作を管理する。【選択図】  図１
2006109150.tif 000002
【特許請求の範囲】
【請求項１】
バッテリーで駆動される通信装置間の動作状態を相互に調停して全体として最適な通信設定にする通信システムに用いられる通信装置であって、
電源を管理制御する電源制御部と、
前記システム全体の動作を制御するシステム制御部と、
前記通信装置の動作モードを設定制御する動作制御部と、
前記電源制御部の出力に応じて通信装置を含む前記通信システム全体の動作を管理するシステム管理部とを備え、
前記システム管理部は、前記電源制御部と前記システム制御部との出力に応じて動作設定部を制御して、前記システム制御部に通信モードを設定することを特徴とする通信装置。
【発明の詳細な説明】
【技術分野】
【０００１】
本発明は、通信装置および通信システムの動作を制御することによって省電力化を図るとともに、バッテリーで駆動される通信装置間の動作状態を相互に調停して通信システム全体として最適な通信設定にする技術に関する。
【背景技術】
【０００２】
近年、例えば無線ＬＡＮを内蔵したポータブルＰＣなどといった、通信機能を有するポータブル機器が普及している。また、無線ＬＡＮのほかに無線通信手段として、例えばＢｌｕｅｔｏｏｔｈ（登録商標）などのような比較的省電力かつ低価格な無線通信手段が用いられる場合がある。このような場合、ポータブル機器をバッテリーで如何にしてより長時間駆動させることができるかが課題となっている。
【０００３】
例えばＢｌｕｅｔｏｏｔｈを用いた従来の通信装置では、図３に示すようなブロック構成により通信制御が行われている。すなわち、図３は、従来のＢｌｕｅｔｏｏｔｈ通信装置における機能ブロック概略図である。図３において、通信部３０１は、通信制御部３０２によって制御されて、通信インターフェースを介して情報通信を行う。
【０００４】
通信制御部３０２はシステム制御部３０３によって制御され、システム制御部３０３は動作設定部３０４によって制御される。システム制御３０３は、図４に示すような処理フローチャートに基づき通信制御部３０２を制御する。すなわち、システム制御部３０３は、動作設定部３０４によるシステム動作設定に応じて通信制御部３０２に対して通信相手を探索するために探索開始処理を発行する（ステップＳ４０１）。通信制御部３０２は、探索開始処理に応じて通信部３０１を制御して通信インターフェースを介して通信相手の探索を行う。なお、通信相手も前記通信装置と同様に図３に示される機能ブロックによるものとする。
【０００５】
つぎにシステム制御部３０３は、接続可能判断分岐（ステップＳ４０２）において通信制御部３０２の出力に応じて通信探索の結果接続相手と通信接続が可能かを判断する。その結果、通信接続が不可能な場合にはタイムアウト判断分岐（ステップＳ４０７）において所定時間が経過したか判定し、所定時間が経過していない場合には、接続可能判断分岐４０２以下同様の処理を繰り返す。一方、所定時間が経過した場合には、接続不可処理（ステップＳ４０８）を行って通信処理を完了する。
【０００６】
一方、接続可能判断分岐（ステップＳ４０２）において、通信相手との接続が可能な場合には、さらに接続要求判断分岐（ステップＳ４０３）において接続相手から接続要求があるかを判断し、接続要求がある場合には接続応答処理（ステップＳ４０４）を行う。また、接続要求判断分岐（ステップＳ４０３）において接続相手から接続要求がない場合には接続相手に対して接続要求処理（ステップＳ４０５）を行う。
【０００７】
接続応答処理（ステップＳ４０４）または接続要求処理（ステップＳ４０５）を行った後に、接続完了判断分岐４０６において通信相手との通信接続が完了したか判定し、接続完了した場合には処理が完了する。一方、接続が完了しない場合にはタイムアウト処理（ステップＳ４０７）において所定時間が経過したか判定し、所定時間が経過していない場合には、接続可能判断分岐（ステップＳ４０２）以降の処理を繰り返す。一方、所定時間が経過した場合には、接続不可処理（ステップＳ４０８）を行って通信処理を完了する。
【特許文献１】特開２００２−１４９５１号公報
【発明の開示】
【発明が解決しようとする課題】
【０００８】
しかしながら、上述の従来の通信装置および通信装置による通信システムでは、通信制御部１０２における通信モードが通信装置間の接続要求処理２０５と接続応答処理２０４とによって決まるため、各通信装置を駆動する電源や動作状態を考慮することがない。そのため、接続要求判断分岐（ステップＳ２０３）における判断によっては、通信装置のうち、より電源残容量の少ないものがより消費電力の大きな通信モードに設定される課題がある。
【０００９】
本発明は上記の課題を解決するためになされたものであり、通信機器間で通信モードを調整するにあたり、電源容量や消費電力といった個々の通信機器が備えるリソースに応じて通信モードを調整する機能を有する通信装置を提供することを目的とする。
【課題を解決するための手段】
【００１０】
上記目的を達成するために、本発明では、  バッテリーで駆動される通信装置間の動作状態を相互に調停して全体として最適な通信設定にする通信システムに用いられる通信装置であって、
電源を管理制御する電源制御部と、
前記システム全体の動作を制御するシステム制御部と、
前記通信装置の動作モードを設定制御する動作制御部と、
前記電源制御部の出力に応じて通信装置を含む前記通信システム全体の動作を管理するシステム管理部とを備え、
前記システム管理部は、前記電源制御部と前記システム制御部との出力に応じて動作設定部を制御して、前記システム制御部に通信モードを設定することを特徴とする。
【発明の効果】
【００１１】
本発明においては、通信装置は、各々の通信装置が駆動される電源の残容量や動作状態に応じた消費電力に応じて、通信装置間で通信モードに関する調停を行った上で通信モードを相互に決定することができ、その結果、各々の通信装置が相互に同等な継続動作時間を達成できる。
【発明を実施するための最良の形態】
【００１２】
以下、本発明の実施の形態に係る通信装置ついて図面を参照して説明する。図１に実施形態である通信装置の概ブロック図である。図１に示すように、通信装置Ａｃは、通信インターフェースを介してデータ通信を行う通信部１０１、前記通信部を制御する通信制御部１０２、通信装置を含むシステム全体を制御するシステム制御部１０３、通信装置の動作モードを設定制御する動作制御部１０４、システム管理部１０５、および電源制御部１０６を含む。
【００１３】
図２に示すフローチャートを参照して、通信装置Ａｃ、特にシステム制御部１０３による動作について説明する。システム制御部１０３は、動作設定部１０４によるシステム動作設定に応じて、通信制御部１０２に対して通信相手を探索するために探索開始処理を発行する（ステップＳ２０１）。通信制御部１０２は、探索開始処理（ステップＳ２０１）に応じて、通信部１０１を制御して通信インターフェースを介して通信相手の探索を行なう。なお、通信相手も前記通信装置と同様に図１に示される機能ブロックによるものとする。
【００１４】
つぎに、システム制御部１０３は接続可能判断分岐（ステップＳ２０２）において、通信制御部１０２の出力に応じて通信探索の結果接続相手と通信接続が可能かを判断する。その結果、通信接続が不可能な場合にはタイムアウト判断分岐（ステップＳ２０７）において所定時間が経過したか判定し、所定時間が経過していない場合には、接続可能になるまで接続可能判断分岐（ステップＳ２０２）の以降の処理を繰り返す。一方、所定時間が経過した場合には、接続不可処理（ステップＳ２０８）を行って通信処理を完了する。
【００１５】
一方、接続可能判断分岐（ステップＳ２０２）において、通信相手との接続が可能な場合にはさらに接続要求判断分岐（ステップＳ２０３）において、接続相手から接続要求があるかを判断し、接続要求がある場合には接続応答処理（ステップＳ２０４）を行う。また、接続要求判断分岐（ステップＳ２０３）において、接続相手から接続要求がない場合には接続相手に対して接続要求処理（ステップＳ２０５）を行う。
【００１６】
接続応答処理（ステップＳ２０４）または接続要求処理（ステップＳ２０５）を行った後に、システム制御部１０３はつぎに通信装置間での通信モードを調停する接続調停処理（ステップＳ２０６）を行う。すなわち、システム制御部１０３はシステムの動作設定部１０４とシステム管理部１０５の出力、および通信相手からの対応する情報とに応じて通信制御部１０２における通信モードを決定する。
【００１７】
なお、システム管理部１０５は通信装置を駆動する電源の状態と、通信モードなどの動作状態によって決まる消費電力とに応じて電源制御部１０６が出力する信号に応じて当該通信装置が動作可能な通信モードを検出し、システム制御部１０３から出力される通信相手の動作可能な通信モードと比較することによって、双方の通信モードを選択決定し、動作設定部１０４に出力する。
【００１８】
動作設定部１０４は、システム制御部１０５の出力に応じて、通信装置の通信モードをシステム制御部１０３に支持し、システム制御部１０３はそれに応じて通信制御部１０２および通信部１０１を介して通信相手との調停を行う。以上によって、本発明実施の通信装置および通信システムは通信装置間で各通信装置がもつ電源残容量な動作に要する消費電力といった条件を考慮して相互の通信モードを設定することができる。
【産業上の利用可能性】
【００１９】
本発明は、各通信装置の電源容量や電源残量、消費電力を管理する電源制御部を備えることによって、データ通信時に当該通信装置が備える電源などのリソース条件によって各通信装置の通信モードを通信装置間で調停した上でデータ通信できる。たとえば、通信機能を有したポータブルオーディオ機器などに関して、オーディオ記録再生装置と、ヘッドホンやマイクロホンなどの周辺装置との間で、双方の電源容量、電源残量や動作モードに応じた消費電力に応じて個々の通信モードを調整することができ、その結果、各々の動作時間を同じ程度に持続されることができるなど動作状態を適正化できる。
【図面の簡単な説明】
【００２０】
【図１】本発明の実施の形態に係る通信装置の構成を示すブロック
【図２】図１に示したシステム制御部の動作を表すフローチャート
【図３】従来の通信装置の構成を表すブロック
【図４】図３に示したシステム制御部の動作を表すフローチャート
【符号の説明】
【００２１】
Ａｃ  通信装置
１０１、３０１  通信部
１０２、３０２  通信制御部
１０３、３０３  システム制御部
１０４、３０４  動作制御部
１０５  システム管理部
１０６  電源制御部
【図１】
2006109150.tif 000003
【図２】
2006109150.tif 000004
【図３】
2006109150.tif 000005
【図４】
2006109150.tif 000006